(57)【要約】      （修正有）【課題】果実を確実に遮光状態に維持すると共に、収穫した果実を包んでいる状態から袋封止用止金を果実を傷付けることなく取り外せる果実掛袋を提供する。【解決手段】果実掛袋１には袋体３上部の開口部２付近から下方に向かって延びる袋封止用止金９を設ける。袋封止用止金９の下端部から間隔Ａをおいて、かつ袋封止用止金９と交叉しないような切目部１０を形成する。切目部１０は、袋封止用止金９の下端部から１〜１５ｍｍ程度の間隔を置いて形成する。切目部１０を摘まんで上方に引き上げると袋体を破きながら袋封止用止金９を取り外すことができる。【選択図】図１
0003231312.tif 000002
【実用新案登録請求の範囲】
【請求項１】
袋体の上部の開口部から下方に向かって延びる袋封止用止金を設けた果実掛袋において、上記袋封止用止金の下端部から間隔を置いてかつ該袋封止用止金と交叉しない切目部を形成した果実掛袋。
【請求項２】
上記切目部は上記袋封止用止金の下端部より１〜１５ｍｍの間隔を置いて形成されている請求項１に記載の果実掛袋。
【請求項３】
上記袋体は縦方向貼着部と底部の横方向貼着部によって袋状に形成されており、上記袋封止用止金及び切目部は縦方向貼着部に設けられている請求項１又は２に記載の果実掛袋。
【請求項４】
上記袋体の縦方向貼着部は袋体の側縁部に形成されている請求項３に記載の果実掛袋。
【考案の詳細な説明】
【技術分野】
【０００１】
本考案は、出荷の際の出荷袋としても使用できるようにした果実掛袋に関する。
【背景技術】
【０００２】
我が国においては多くの品種のリンゴが栽培されているが、こうした中で代表的な黄色リンゴの一つである「金星」は、幼果期から収穫に至るまで遮光することによって果皮色が均一な黄色となって見栄えが良いことから、遮光性のある果実袋を掛けて栽培されている。
この黄色の果皮は見た目が綺麗なものであるが、僅かに傷が付いたりしても変色し易く、その変色部が非常に目立つことから、見映えが悪くなり商品価値が著しく下がってしまうという問題がある。
【０００３】
こうした問題があるところから、この果実（金星）は生育中ずっと袋掛けをしておいて果実袋を付けたままで収穫し、収穫後はなるべく果実には直接触らないように気を配っており、出荷の際には果実袋の上部の開口部を折り返して中の果実が一部見えるようにし、これをそのまま出荷箱に並べることによってこの果実袋は出荷の際の緩衝性を有する出荷袋としても使用されている。
【０００４】
上記した果実袋に設けてある袋封止用止金は、果実の生育期間中に果実袋で果実を包んでおくために必要なものであるが、上記したように果実を収穫して出荷する際に果実袋の上部開口部を折り返す作業においてリンゴを傷つけることがあるために、先ず果実袋から袋封止用止金を外すことが必要であり、その後で開口部を折り返す作業を行っている。
【０００５】
こうしたことから、収穫した果実を包んでいる果実袋から袋封止用止金を容易に取外せるようにすることが求められている。
本出願人は、かつて袋封止用止金の下端部に位置する部位にその下端部を囲むようなＵないしＶ字状の切目を貫設してつまみ片を設けたものによって、上記止金を取り外し易くしたものを提供している。（特許文献１）
【０００６】
そこで、このものが使用できないか検討したが、この果実袋は収穫時期が近づいてきた時に果実を枝に付けた状態で取外すようにしたものである。この果実袋は果実の成長肥大によって内面が圧迫されて拡げられ、袋体の表面は徐々に曲面をなすようになるが、上記つまみ片は袋封止用止金の下端部にあるので発育肥大による曲げ作用を受けず、つまみ片のみが袋体の表面より浮上するようになるので、この浮上したつまみ片を指で摘んで引き上げると袋が裂け、止金による果実袋の結束が解けるようにしたものである。
【０００７】
しかし、このものは果実が生育中に上記つまみ片が袋の表面から浮上するようになっていることから、このつまみ片の浮上によって袋との間に隙間や空間が生じるようになり、こうした隙間や空間などから日光が入って遮光性が阻害されてしまい果皮色が変色してしまうという問題があることが判った。
【０００８】
また、上記と同様にして袋封止用止金の下部にこの止金と交叉する切目や切欠部を設け、この切目や切欠部から止金の下端部分を露出させることにより、露出されている袋封止用止金の下端部分を摘まんで引き上げることによって上記止金を取り外し易くしたものを提供している。（特許文献２）
このものは上記と同じように露出されている止金の下端部分は果実の発育肥大による曲げ作用を受けず、袋体の表面より浮上するようになるが、この浮上して突出した止金は鋭利なものなので、他の果実を傷付けてしまうという問題がある。
【先行技術文献】
【特許文献】
【０００９】
【特許文献１】実公昭５６−３７５６６号公報
【特許文献２】実公昭５７−１９９７５号公報
【考案の概要】
【考案が解決しようとする課題】
【００１０】
本考案は、果実を果実掛袋によって充分な遮光状態に維持すると共に、果実掛袋を掛けた状態で収穫した果実の果実袋から袋封止用止金を容易に、また果実を傷付けることなく取り外し、出荷用袋としても使用することができるような果実掛袋を提供しようとするものである。
【課題を解決するための手段】
【００１１】
本考案においては、果実掛袋において袋体上部の開口部から下方に向かって延びる袋封止用止金を設けており、この袋封止用止金の下端部から間隔をおいて、また、袋封止用止金と交叉しないような切目部を形成したものである。
こうした切目部は、袋封止用止金の下端部から１〜１５ｍｍ程度の間隔を置いて形成するようにすると良い。
【００１２】
そして、上記の袋体は縦方向貼着部と底部の横方向貼着部によって形成すると良く、上記した袋封止用止金は縦方向貼着部内に位置させ、また上記切目部も縦方向貼着部内に位置するように形成するとよい。
【考案の効果】
【００１３】
本考案によれば、発育途上の幼果を果実掛袋の上部の開口部から袋内に収納し、この開口部分を果梗側に絞り寄せるようにし、その上から袋封止用止金を折曲げるように巻付ければ果実袋を取付けることができる。この果実掛袋によって果実を遮光状態にすることができ、果実が生育中はこの袋体によって遮光状態を確実に維持することができる。果実が成長したら、果実に袋を掛けたままで収穫することができる。
【００１４】
収穫時に果実は果実掛袋に包まれており、袋封止用止金の下端部分が浮上ったり、突出したりしていないので、収穫中に他の果実を傷付けることもない。
収穫した果実は、果実掛袋に設けられている上記切目部に指先などを掛け、これを手掛かりにして上方に引き上げるようにすると袋体は袋封止用止金に沿うようにして破かれ、袋体の一部と共に袋封止用止金を簡単に取外すことができる。
【００１５】
袋封止用止金が取外された果実袋には鋭利なものは無いので、袋体の上部を広げる様にして外側に折り返すと果実の上面が露出されるようになり、こうした状態で箱詰めなどをすると果実掛袋には緩衝作用があるので出荷袋として果実を充分に保護することができるようになり、また展示効果を上げることができる。
【図面の簡単な説明】
【００１６】
【図１】本考案の実施例を示す正面図である。
【図２】図１に示すもので包んだ果実を収穫した状態の様子を示す写真である。
【図３】図２に示すものの切目部から袋封止用止金を外し始めた状態の様子を示す写真である。
【図４】図３のものから袋封止用止金を全て外した状態の様子を示す写真である。
【図５】図４のものから果実掛袋の上部を折返した状態の様子を示す写真である。
【図６】他の実施例の袋封止用止金及び切目部の状態を示す一部拡大図である。
【図７】その他の実施例の袋封止用止金及び切目部の状態を示す一部拡大図である。
【考案を実施するための形態】
【００１７】
果実掛袋１は遮光性を有する紙材料その他の適宜材料で形成され上部に開口部２を有する袋体３であり、上部の開口部２から生育する果実を収納することができるようになっている。
この果実掛袋は、遮光性を充分に確保できれば一重袋でも多重袋でもよいが、図示する袋体３は二重袋になっており、遮光性を有する外袋４は縦方向貼着部５と底部の横方向貼着部６によって有底の袋状にされていて、底部の両側には雨水が滞留しないように排水口７を設けており、この外袋４内に同じく遮光性があり上下に開口する内袋８が挿入されている。
【００１８】
この袋体３の上部の開口部２の近くから下方に向かって延びるような袋封止用止金９を設けている。
この袋封止用止金９の下方には、この止金の下端から間隔Ａをおいて、かつ上記止金とは交叉しないような直線状の切目部１０を設けている。
この切目部は、止金の下端部から１〜１５ｍｍ、好ましくは５〜１０ｍｍ程度の間隔Ａを置いて設けるようにすると好ましい。
【００１９】
上記袋封止用止金９は、縦方向貼着部５に挟まれるように位置しており、その下方に設けられている切目部１０もこの縦方向貼着部５の横幅の中に納まるように形成すると好ましい。
また、上記縦方向貼着部５は袋体の横幅方向の適宜の位置に設けることができるが、図示するように袋体の側縁部に設けるようにするとよい。
【００２０】
この果実掛袋１を使用する場合、成長過程にある幼果を袋体３の開口部２から袋内に収納し、袋体３の上部を絞り締めるようにしてからこの部分を袋封止用止金９によって押さえるようにすると、袋体３を果梗部などに係止することができる。
果実の成長により玉伸びに伴って袋封止用止金９が曲がっても縦方向貼着部５に確実に保持されているので、隙間や空間が生じることがなく、日光が袋内に侵入することが無いので、果実を遮光状態に確実に保つことが出来る。
【００２１】
果実が充分に成長して収穫時期になったら、果実掛袋１を付けたままで果実を収穫する。こうした果実は袋体３に包まれているので、収穫時に果実を傷つけることもない。（図２）
収穫した果実は、袋体３の切目部１０から指先などを使用してこれを起こすようにし、上方に引き上げると袋体３は破かれ（図３）、袋封止用止金９が袋体３の一部と共に取外されるようになる（図４）。
【００２２】
袋封止用止金９が取外された袋体３には、果実を傷付けるようなものはないので、袋体３の開口部を拡げ、袋体の上部を外側に折り返すようにすれば、果実１１の上面が露出され、遮光によって綺麗な果皮表面を有する果実が見られるようになる（図５）。
【００２３】
こうして袋体３によって下方が包まれている果実をそのまま出荷箱などに詰めると、この袋体３が緩衝体としても作用するようになって出荷袋として果実が傷付かないように保護すると共に果実を効果的に展示することもできる。
【００２４】
図６に示すものは、袋封止用止金９の下端部から間隔Ａをおいて弧状の切目部１０を形成したものであり、また、図７に示すものは、同じく袋封止用止金９の下端部から間隔Ａをおいて逆山形状の切目部１０を形成したものである。
これらのものは上記したものと同様にして使用することができるし、こうした切目部はこれらに準じて適宜の形状に形成することができる。
【００２５】
上記にはリンゴの金星を主にして述べてきたが、この果実掛袋は上記したものに限らず、遮光性を必要とする各種の果実について広く用いることができるし、果実から果実掛袋を全て剥がして出荷袋とはしないで用いることもできる。
【符号の説明】
【００２６】
１    果実掛袋
２    開口部
３    袋体
５    縦方向貼着部
６    横方向貼着部
９    袋封止用止金
１０  切目部
１１  果実
【図１】
0003231312.tif 000003
【図２】
0003231312.tif 000004
【図３】
0003231312.tif 000005
【図４】
0003231312.tif 000006
【図５】
0003231312.tif 000007
【図６】
0003231312.tif 000008
【図７】
0003231312.tif 000009